(57)【要約】【課題】揮散量の調整可能な揮散器を提案する。【解決手段】芳香剤等の内容物を充填する容器に装着され、該容器内の内容物を吸い上げて揮散させる揮散器において、天面に開口を有すると共に前記容器に着脱自在に係止するケース本体（２）と、このケース本体（２）の内部に設置され容器内の内容物を吸上げ芯（Ｓ）を介して吸い上げて揮散させる揮散体（３）とを備え、前記ケース本体（２）に、前記開口に接近、離隔する向きにスライド可能な蓋体（４）を設け、  前記揮散体（３）は、蓋体（４）のスライドに伴ってその表面積を可変とするスポンジ（３ａ）等の可変部材にて構成する。【選択図】図１
2005132380.tif 000002
【特許請求の範囲】
【請求項１】
芳香剤等の内容物を充填する容器に装着され、該容器内の内容物を吸い上げて揮散させる揮散器であって、
天面に開口を有すると共に前記容器に着脱自在に係止するケース本体と、このケース本体の内部に設置され容器内の内容物を吸上げ芯を通して吸い上げて揮散させる揮散体とを備え、
前記ケース本体に、前記開口に接近、離隔する向きにスライド可能な蓋体を設け、
前記揮散体は、蓋体のスライドに伴ってその表面積を可変とする可変部材からなる、ことを特徴とする揮散器。
【請求項２】
可変部材は、スポンジ状の揮散紙である請求項１記載の揮散器。
【請求項３】
可変部材は、複数枚の素体を伸縮可能につないだ蛇腹状若しくはスプリング状の揮散紙である請求項１記載の揮散器。
【請求項４】
蓋体は、蓋体は任意の位置で位置決めして揮散体の表面積を一定に維持する位置決め手段を有する請求項１〜３の何れかに記載の揮散器。
【請求項５】
ケース本体及び蓋体の少なくとも一方に揮散体から揮散された内容物を通過させるスリットを有する請求項１〜４の何れかに記載の揮散器。
【発明の詳細な説明】
【技術分野】
【０００１】
本発明は、芳香剤等の内容物を揮散させるのに用いて好適な揮散器に関するものである。
【背景技術】
【０００２】
芳香剤等の内容物を揮散させるのに使用される揮散器は、従来、内容物を収容した容器に着脱可能に固定保持するカバー体と、このカバー本体内に配置される揮散板（紙あるいはフェルト製等）と、容器内の内容物を吸い上げて拡散板に染み込ませて揮散させる吸液芯にて構成されていた（例えば特許文献１参照）。
【０００３】
【特許文献１】特開２００１−２６１０８０号公報
【発明の開示】
【発明が解決しようとする課題】
【０００４】
ところで、上記のような従来の揮散器は、容器を開封してしまえば揮散板に供給される内容物の量はその揮散量に比例してほぼ一定に供給されるようになっていることから、揮散量の調節ができない不具合があった。
【０００５】
本発明の課題は、揮散体に供給される内容物の吸い上げ量を簡単な構造でもって調節できる新規な揮散器を提案するところにある。
【課題を解決するための手段】
【０００６】
本発明は、芳香剤等の内容物を充填する容器に装着され、該容器内の内容物を吸い上げて揮散させる揮散器であって、
天面に開口を有すると共に前記容器に着脱自在に係止するケース本体と、このケース本体の内部に設置され容器内の内容物を吸上げ芯を介して吸い上げて揮散させる揮散体とを備え、
前記ケース本体に、前記開口に接近、離隔する向きにスライド可能な蓋体を設
け、
前記揮散体は、蓋体のスライドに伴ってその表面積を可変とする可変部材からなる、ことを特徴とする揮散器である。
【０００７】
上記の構成になる揮散器において可変部材は、スポンジ状の揮散紙を用いるか、あるいは、複数枚の素体を伸縮可能につないだ蛇腹状若しくはスプリング状の揮散紙を用いることができる。
【０００８】
また、蓋体については、蓋体は任意の位置で位置決めして揮散体の表面積を一定に維持する位置決め手段を有するのが望ましい。
【０００９】
ケース本体及び蓋体の少なくとも一方に揮散体から揮散された内容物を通過させるスリットを形成することができる。
【発明の効果】
【００１０】
蓋体をスライドさせることで揮散体の表面積が変更されるため、内容物の揮散量を適宜に調整することができる(内容物の吸い上げ量が調整される)。
【発明を実施するための最良の形態】
【００１１】
以下図面を用いて本発明をより具体的に説明する。
図１は本発明に従う揮散器を内容物を充填する容器に装着した状態の実施の形態を示したものである。
【００１２】
図における１は容器、２はその下端部を容器１の肩部に着脱自在に係止（アンダーカットやねじ止め等の係合手段）するケース本体、３はケース本体２の内部に配置される揮散体である。この揮散体３は台座となる揮散紙３ａとこの揮散紙３ａに載置されるスポンジ３ｂからなっており、吸い上げ芯Ｓを通して吸い上げた内容物を揮散紙３ａを介してスポンジ３ｂにおいて効率良く揮散させる。なお、揮散体３の揮散紙３ａとスポンジ３ｂとは前記の別体構成のみならず、接着或いはインサート成形などにより予め一体に形成した構成のものを使用することも可能である。
【００１３】
また、４はケース本体２の開口に合わさることを可能とする蓋体であって、この蓋体４は天板４ａとこの天板４ａの裏側で一体になりケース本体２の内壁面に沿って摺動する複数本の弾性アーム４ｂからなっていて、該蓋体４の天板４ａを押し下げあるいは引き下げることでケース本体２の開口に近接、離隔する向きにスライドさせることができるようになっている。
【００１４】
また、５はケース本体２の内壁面のスライド用長尺凹部内に設けられた突起、６は蓋体４の弾性アーム４ｂの先端に一体的に設けられた位置決め手段としての係合爪であり、この係合爪６をケース本体２の突起５に係合させることで蓋体４を任意の位置で位置決めする。
【００１５】
かかる構成になる揮散器においては、蓋体４を上方にスライドさせると押し潰されていた揮散体３のスポンジ３ｂの表面積が大となり、逆に下方にスライドさせるとスポンジ３ｂが押し潰されるためその表面積が小となる。このため、吸い上げ芯Ｓによる内容物の吸い上げ量は適宜に変更され揮散量の調整が可能となる。
【００１６】
図２はケース本体２及び蓋体４の外観を斜視図で示したものである。ケース本体２の胴体部、蓋体４の天板４ａには内外に通じる複数本のスリット７を設けて、ケース本体２と蓋体４の相互間から内容物を揮散させる以外に、該スリット７を通して内容物を揮散させることもできる。
【００１７】
上掲図１においては、ケース本体２の内壁にスライド用の長尺凹部を形成してそこに突起５を設けて蓋体４の弾性アーム４ｂを係合させるようにしたが、図２に示すように突起５の代わりに横向きに切り欠いた切り欠部８を間隔を開けて設け、蓋体４を僅かに回動させて切り欠部８に弾性アーム４ｂの係合爪６を係合させることで蓋体４の位置決めを行うようにしてもよい。また、突起５又は切り欠部８を設けることなく、弾性アーム４ｂの係合爪６先端をケース本体２の内壁に形成したスライド用長尺凹部壁部に圧接することによる摩擦抵抗により、蓋体４の開閉位置を保持する機構とすることも可能である。更には、図１の実施例における長尺凹部の最下段部に図２に示す横向き切り欠部を形成してケース本体２と蓋体４とを回動方向で係合させておけば、流通時の蓋体４の不慮の開放を確実に防止することが可能となる。
【００１８】
弾性アーム４ｂは図示のようなものに限られるわけではなく、図３に示すような横向きのものであってもよく、この場合、突起６がケース本体２外壁と中央筒部（揮散体載置筒部）とを連結する梁の下方に係合して蓋体４の閉じた状態を保持することになる。なお、スライド開閉位置を保持する為、図３の突起６の構成に図１、２に示す突起６を組み合わせた構成とすることも可能である。
【００１９】
図４は本発明に従う他の実施の形態に係わる揮散器につき、蓋体４と揮散体３のみを取り出して示したものである。
【００２０】
本発明においては、揮散体３としてスポンジ３ｂを用いる代わりに図示のような、揮散紙からなる複数枚の素体をその長手方向に伸縮可能に蛇腹状あるいはスプリング状につないだものを用いることが可能で、この場合、揮散体３の下面をケース本体２に載置する一方、上面を蓋体４の裏面に設けた図示のような挟持片４ｃにて連結する。
【００２１】
上記のような構成によれば、蓋体４を上下にスライドさせることにより揮散体３の表面積を適宜に変更することが可能となり、スポンジを用いた場合と同様の効果を得ることができる。なお、揮散紙の連結部位は、前述の長手方向に限るものではなく、短手方向他揮散紙の外周部位のどの位置に形成しても良く、その部位は適宜に変更可能である。
【００２２】
本発明では、揮散体３の表面積を変更できるものとして、スポンジ３ｂや蛇腹状あるいはスプリング状のものを例示したが、蓋体４のスライドにてその表面積を変更できるものであればこれらのものに限定されることはない。
【００２３】
また、揮散にかかわる内容物を通過させるものとしてケース本体２、蓋体４にスリット７を設ける場合について説明したが、これは、模様を形成する複数の開孔であってもよく、この点についても限定されることはない。更には、容器１とケース本体２との係合位置も前掲の容器１肩部に限定されるものではなく、容器１のネック部（例えばネックリング）で係合しても良く、その位置は容器構成に合わせ適宜変更可能である。
【産業上の利用可能性】
【００２４】
内容物を揮散させる為の開口部の面積を可変とすることにより、内容物の揮散量を適宜調整可能な使い勝手の良い揮散器を提供できる。
【図面の簡単な説明】
【００２５】
【図１】本発明に従う揮散器の実施の形態を示した図である。
【図２】ケース本体、蓋体の外観斜視図である。
【図３】蓋体の要部を拡大して示した図である。
【図４】本発明に従う揮散器の他の実施の形態を示した図である。
【符号の説明】
【００２６】
１  容器
２  ケース本体
３  揮散体
３ａ  揮散紙
３ｂ  スポンジ
４  蓋体
４ａ  天板
４ｂ  弾性アーム
４ｃ  挟持片
５  突起
６  係合爪
７  スリット
８  切り欠部
Ｓ  吸い上げ芯
【図１】
2005132380.tif 000003
【図２】
2005132380.tif 000004
【図３】
2005132380.tif 000005
【図４】
2005132380.tif 000006